(57)【要約】【課題】家屋内に存在する面からの取り外しが簡単であり、壁面等から剥がした部位に粘着痕が残存したり又は壁面等側に剥がれが生じることがない樹脂シートを提供すること。【解決手段】弾性を有する合成樹脂により形成されたシート表材１の片面側に、弾性を有する発泡樹脂層２を一体形成して成り、前記発泡樹脂層２におけるシート表材１との反対側面に気泡２０を表出させることにより多数の微小吸盤Ａを形成してある。また、凹凸のある部分でも、確実に付着でき且つ不用意に剥がれることがないものとしている。さらに、傷や汚れを防止できるものとしている。【選択図】図３
0003124508.tif 000002
【実用新案登録請求の範囲】
【請求項１】
弾性を有する合成樹脂により形成されたシート表材の片面側に、弾性を有する発泡樹脂層を一体形成して成り、前記発泡樹脂層におけるシート表材との反対側面に気泡を表出させることにより多数の微小吸盤を形成してあり、家屋内に存在する面からの取り外しが簡単であり、取り外した部位に粘着痕が残存したり又は家屋内に存在する面側に剥がれが生じることがないことを特徴とする樹脂シート。
【請求項２】
角部や凹凸のある部分でも、確実に付着でき且つ不用意に剥がれることがないことを特徴とする請求項１記載の樹脂シート。
【請求項３】
傷や汚れを防止できることを特徴とする請求項１又は２記載の樹脂シート。
【請求項４】
装飾を施していることを特徴とする請求項１又は２に記載の樹脂シート。
【請求項５】
フックやアンテナを取り付けるために形成された請求項１乃至４記載の樹脂シート。
【考案の詳細な説明】
【技術分野】
【０００１】
この考案は、家屋内に存在する面（壁面、天井、窓等の平坦部又は角部、天井、窓、柱、建具）に貼り付けて使用する樹脂シートに関するものである。
【背景技術】
【０００２】
近年、ペットを家族の一員として扱う人が増えてきており、特に犬や猫等は大型・小型にかかわらず家屋内において放し飼いをする人が増えてきている。
【０００３】
しかしながら、屋内での放し飼いであるが故に、ペットは壁面の平坦部又は角部、柱、建具等で爪研ぎをしたり、場合によってはこれらを齧ったりすることがある。さらに、ペットは、壁面等を汚すこともある。
【０００４】
したがって、飼い主は、上記のような事態が生じないように事前に樹脂シートを壁面等に貼着するようにしている。
【０００５】
ところが、従来の樹脂シートは、壁面等への貼着手段として粘着剤を使用したものであるから、以下に示すような問題があった。
（問題１）
貼着手段が粘着剤である場合、上記樹脂シートを取り外した部位に粘着痕が残存したり、壁面等側が剥がれてしまい、その部位の見栄えが非常に悪くなってしまう。
（問題２）
貼着手段が粘着剤である場合、凹凸のある部分には貼着できないか又は一旦貼着できたとしても不用意に剥がれてしまう。
【０００６】
ところで、これらの問題１、２は、上記の如き傷付き防止用の樹脂シートに限らず、家屋内に存在する面に貼り付けるシート、例えば、装飾シート（一般的な壁紙を含む）、水周りの壁目地保護シート、子供の落書き用シート等においても同様に有している。
【０００７】
したがって、家屋内に存在する面に貼り付ける樹脂シートを製造・販売する業界、及びこれらの使用者の間では、家屋内に存在する面からの取り外しが簡単であり、家屋内に存在する面から取り外した部位に粘着痕が残存したり又は壁面等側に剥がれが生じることない樹脂シートが開発されることを待ち望んでいる。
【考案の開示】
【考案が解決しようとする課題】
【０００８】
そこで、この考案では、家屋内に存在する面からの取り外しが簡単であり、家屋内に存在する面から取り外した部位に粘着痕が残存したり又は壁面等側に剥がれが生じることがない樹脂シートを提供することを課題とする。
【課題を解決するための手段】
【０００９】
（請求項１記載の考案）
請求項１記載の考案の樹脂シートは、弾性を有する合成樹脂により形成されたシート表材の片面側に、弾性を有する発泡樹脂層を一体形成して成り、前記発泡樹脂層におけるシート表材との反対側面に気泡を表出させることにより多数の微小吸盤を形成してあり、家屋内に存在する面からの取り外しが簡単であり、取り外した部位に粘着痕が残存したり又は家屋内に存在する面側に剥がれが生じることがないものとしている
【００１０】
（請求項２記載の考案）
請求項２記載の考案の樹脂シートは、請求項１記載の発明に関し、角部や凹凸のある部分でも、確実に付着でき且つ不用意に剥がれることがないものとしている。
【００１１】
（請求項３記載の考案）
請求項３記載の考案の樹脂シートは、請求項１又は２記載の発明に関し、傷や汚れを防止できるものとしている。
【００１２】
（請求項４記載の考案）
請求項４記載の考案の樹脂シートは、請求項１又は２記載の発明に関し、装飾を施しているものとしている。
【００１３】
（請求項５記載の考案）
請求項５記載の考案の樹脂シートは、請求項１又は２記載の発明に関し、フックやアンテナを取り付けるために形成されたものとしている。
【考案の効果】
【００１４】
この考案の樹脂シートでは、家屋内に存在する面からの取り外しが簡単であり、壁面等から剥がした部位に粘着痕が残存したり又は壁面等側に剥がれが生じることがない。
【考案を実施するための最良の形態】
【００１５】
以下にこの考案の樹脂シートを実施するための最良の形態として実施例について詳しく説明する。
【実施例１】
【００１６】
図１はこの考案の実施例１における樹脂シートＳ（シート表材１、発泡樹脂層２）及び離型シート３の断面図、図２は前記樹脂シートＳから離型シート３を捲り取った状態を示す断面図、図３は図２の拡大模式図を示している。
【００１７】
（この樹脂シートＳ及び剥離シート３について）
この樹脂シートＳは、家屋内に存在する面、例えば、家屋等の内部に存在する壁面の平坦部又は角部、柱、建具に吸着させることにより犬や猫等のペットによる引っかき傷等を防止するためのものであり、図１や図２に示すように、弾性樹脂により形成されたシート表材１の片面側に、弾性を有する発泡樹脂層２を一体形成して成り、前記発泡樹脂層２におけるシート表材１との反対側面に気泡２０を表出させることにより多数の微小吸盤Ａを形成して成る。なお、この樹脂シートＳは使用前においては、前記発泡樹脂層２における気泡表出面には、離型シート３が取り外し自在に設けられている。
【００１８】
（この樹脂シートＳ及び剥離シート３の具体的構成について）
シート表材１は、弾性を有する合成樹脂、例えば、ポリエステル、ポリ塩化ビニル、ポリエチレン、ポリプロピレン、ナイロン、ウレタン、アクリル等から選ばれた樹脂により構成されるシートの厚み（４〜４００μｍ、好ましくは３０〜２００μｍ）、不織布や織布の目付（５０〜５００ｇ／ｍ２、 好ましくは７０〜３００ｇ／ｍ２）に設定してある。つまり、シート表材１の厚みは折り曲げやすく且つ引っ掻き傷に対する強度を有しているように設定してあればよく、大きさはペットの大きさに応じた寸法に設定してあればよいのである。
【００１９】
また、このシート表材１は、無色であっても、色付けされていても、図柄等が入っていてもよい。さらに、他の層を設けてもよい。
【００２０】
発泡樹脂層２は、ポリエステル、ポリ塩化ビニル、ポリエチレン、ポリプロピレン、ナイロン、ウレタン、アクリル等の樹脂エマルジョンに気泡を機械的に混入し、これを上記したシート表材１に塗布し、硬化・養生して形成されている。ここで、この発泡樹脂層２の厚みは、１０〜３００μｍ（好ましくは５０〜１５０μｍ）程度に設定してある。また、この発泡樹脂層２におけるシート表材１との反対側面には上述した如く気泡２０を表出させることにより多数の微小吸盤Ａを形成してあるが、この発泡樹脂層２には、それ以外に空気が閉じ込められた空洞２１が多数存在している。したがって、この発泡樹脂層２には空気圧縮に伴うある程度のクッション性が付与されている。
【００２１】
離型シート３は、一般的に使用されている公知のものが使用されており、樹脂シートＳから簡単に捲り取れるようにしてある。
【００２２】
（この樹脂シートＳ及び剥離シート３の機能について）
（問題１に関して）
上述した如く、従来の樹脂シートでは、貼着手段である粘着剤の粘着力が強力である場合、上記樹脂シートを剥がした部位に粘着痕が残存したり又は壁面等側が剥がれてしまう。
【００２３】
これに対して、この実施例の樹脂シートＳでは、上記問題１の原因となる粘着剤は使用されていない。粘着剤に変えて、発泡樹脂層２にクッション性を付与すると共に、発泡樹脂層２におけるシート表材１との反対側面に気泡２０を表出させて多数の微小吸盤Ａを形成している。
【００２４】
したがって、離型シート３を外し、微小吸盤Ａ側面を壁面等に押し付けると、気泡２０内の空気が押し出されて負圧となり、微小吸盤Ａの吸盤機能が発揮されて樹脂シートは壁面等に吸着する。
【００２５】
ここで、樹脂シートを壁面等から取り去る場合には、壁面等から引き離すべく力を加えるだけでよく、この作業により気泡２０内に空気が侵入して微小吸盤Ａが吸盤機能を発揮しなくなることにより、簡単に壁面から剥がれる。
【００２６】
このように、樹脂シートを壁面等から取り去るに際して、樹脂シートを剥がした部位に粘着痕が残存したり又は壁面等側が剥がれてしまうことはあり得ない。
（問題２に対して）
上述した如く、従来の樹脂シートでは、貼着手段が粘着剤である場合、凹凸のある部分には貼着できないか又は一旦貼着できたとしても不用意に剥がれてしまう。
【００２７】
これに対して、この実施例の樹脂シートＳでは、上述した如く多数の微小吸盤Ａよる吸着機能を有するものとしている。したがって、この実施例の樹脂シートＳでは、この角部や凹凸のある部分（複雑な形状部分）であっても確実に貼着でき、また不用意に剥がれてしまうようなことはない。
【００２８】
（その他の実施の形態について）
シート樹脂としては、装飾シート(一般的な壁紙を含む)、壁紙、汚れ・傷保護シート、水周りの壁目地保護シート(水の浸透からの保護、トイレ壁面、キッチン壁面)、子供の落書き用シート、電灯スイッチ周りの汚れ保護シート、フック支持体やアンテナ支持体を取り付けるためのシート等がある。
【図面の簡単な説明】
【００２９】
【図１】この考案の実施例１における樹脂シート（シート表材、発泡樹脂層）及び離型シートの断面図。
【図２】前記樹脂シートから離型シートを捲り取った状態を示す断面図。
【図３】図２の拡大模式図。
【符号の説明】
【００３０】
Ｓ      樹脂シート
Ａ      微小吸盤
１      シート表材
２      発泡樹脂層
３      離型シート
２０    気泡
２１    空洞
【図１】
0003124508.tif 000003
【図２】
0003124508.tif 000004
【図３】
0003124508.tif 000005